【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
（ａ）下記式Ｉのアミン捕捉モノマー：
【化１】
2009516008.tif 000001
［式中、
Ｌは、オキシ、−ＮＲ３−であり；
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し、
Ｒ２が、水素又はメチルであり、
Ｒ３が、水素、アルキル、アリール、アラルキル、アシル、アリールスルホニル、又はアルキルスルホニルであり、
Ｙが、アルキレン、ヘテロアルキレン、アリーレン、又はそれらの組み合わせを含む二価の基であり、
前記式Ｉのモノマーが、ハロ、アルキル、アルコキシ、又はそれらの組み合わせによって非置換又は置換である。］及び
（ｂ）少なくとも２つの（メタ）クリロイル基を含む架橋モノマーを含む反応混合物。
【請求項２】
（ａ）下記式Ｉのアミン捕捉モノマー：
【化２】
2009516008.tif 000002
［式中、
Ｌは、オキシ、−ＮＲ３−であり、
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し、
Ｒ２が、水素又はメチルであり、
Ｒ３が、水素、アルキル、アリール、アラルキル、アシル、アリールスルホニル、又はアルキルスルホニルであり、
Ｙが、アルキレン、ヘテロアルキレン、アリーレン、又はそれらの組み合わせを含む二価の基であり、
前記式Ｉのモノマーが、ハロ、アルキル、アルコキシ、又はそれらの組み合わせによって非置換又は置換である。］及び、
（ｂ）少なくとも２つの（メタ）クリロイル基を含む架橋モノマーを含む反応混合物の反応生成物を含む、架橋型高分子物質。
【請求項３】
基材、及び
基材表面上に配置した架橋型高分子物質を備える物品で、当該架橋型高分子物質が、Ｎ−スルホニルアミノカルボニル基を含むペンダントアミン捕捉基を有し、当該架橋型高分子物質が、
（ａ）下記式Ｉのアミン捕捉モノマー：
【化３】
2009516008.tif 000003
［式中、
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し；
Ｒ２が、水素又はメチルであり、
Ｒ３が、水素、アルキル、アリール、アラルキル、アシル、アリールスルホニル、又はアルキルスルホニルであり、
Ｌは、オキシ、−ＮＲ３−であり、
Ｙが、アルキレン、ヘテロアルキレン、アリーレン、又はそれらの組み合わせを含む二価の基であり、
前記式Ｉのモノマーが、ハロ、アルキル、アルコキシ、又はそれらの組み合わせによって非置換又は置換である。］及び
（ｂ）少なくとも２つの（メタ）クリロイル基を含む架橋モノマーを含む反応混合物の反応生成物である、前記物品。
【請求項４】
基材を提供すること；
（ａ）下記式Ｉのアミン捕捉モノマー：
【化４】
2009516008.tif 000004
［式中、
Ｌは、オキシ、−ＮＲ３−であり、
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し、
Ｒ２が、水素又はメチルであり、
Ｒ３が、水素、アルキル、アリール、アラルキル、アシル、アリールスルホニル、又はアルキルスルホニルであり、
Ｙが、アルキレン、ヘテロアルキレン、アリーレン、又はそれらの組み合わせを含む二価の基であり、
前記式Ｉのモノマーが、ハロ、アルキル、アルコキシ、又はそれらの組み合わせによって非置換又は置換である。］及び、
（ｂ）少なくとも２つの（メタ）クリロイル基を含む架橋モノマーを含む、
反応混合物を基材表面上に配設すること、及び
前記反応混合物を硬化させて、Ｎ−スルホニルアミノカルボニル基を含むペンダントアミン捕捉基を有する架橋型高分子物質を形成すること、並びに
アミン含有物質を、前記架橋型高分子物質のＮ−スルホニルアミノカルボニル基と反応させることから成る、アミン含有物質の基材への不動化方法。
【請求項５】
基材を提供すること；
（ａ）下記式Ｉのアミン捕捉モノマー：
【化５】
2009516008.tif 000005
［式中、
Ｌは、オキシ、−ＮＲ３−であり、
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し；
Ｒ２が、水素又はメチルであり、
Ｒ３が、水素、アルキル、アリール、アラルキル、アシル、アリールスルホニル、又はアルキルスルホニルであり、Ｙが、アルキレン、ヘテロアルキレン、アリーレン、又はそれらの組み合わせを含む二価の基であり、
前記式Ｉのモノマーが、ハロ、アルキル、アルコキシ、又はそれらの組み合わせによって非置換又は置換である。］及び
（ｂ）少なくとも２つの（メタ）クリロイル基を含む架橋モノマーを含む、
反応混合物を基材表面上に配設すること、及び
前記反応混合物を硬化させて、Ｎ−スルホニルアミノカルボニル基を含むペンダントアミン捕捉基を有する架橋型高分子物質を形成することから成る、物品の作製方法。
【請求項６】
下記式ＩＩのペンダント基から成る、高分子物質。
【化６】
2009516008.tif 000006
［式中、
Ｌは、オキシ又は−ＮＲ３−であり、
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し、
Ｒ３が、水素、アルキル、アリール、アラルキル、アシル、アリールスルホニル、又はアルキルスルホニルであり、
Ｙが、アルキレン、ヘテロアルキレン、アリーレン、又はそれらの組み合わせを含む二価の基であり、
アスタリスク（＊）は、前記ペンダント基の、前記高分子物質の主鎖への結合部位を意味し、
化学式ＩＩのペンダント基が、ハロ、アルキル、アルコキシ、又はそれらの組み合わせによって非置換又は置換されており、且つ
前記高分子物質が、架橋している。］
【手続補正２】
【補正対象書類名】明細書
【補正対象項目名】０１６５
【補正方法】変更
【補正の内容】
【０１６５】
本明細書中に引用される特許、特許文献、及び刊行物の完全な開示は、それぞれが個々に組み込まれたかのように、その全体が参考として組み込まれる。本発明の範囲及び趣旨を逸脱しない本発明の様々な変更や改変は、当分野の技術者には明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されると意図する本発明の範囲に関する例示のためにのみ提示されることを理解すべきである。
以下に、本願発明に関連する発明の実施の形態を列挙する。
実施形態１
（ａ）下記式Ｉのアミン捕捉モノマー：
【化７】
2009516008.tif 000007
［式中、
Ｌは、オキシ、−ＮＲ３−であり；
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し、
Ｒ２が、水素又はメチルであり、
Ｒ３が、水素、アルキル、アリール、アラルキル、アシル、アリールスルホニル、又はアルキルスルホニルであり、
Ｙが、アルキレン、ヘテロアルキレン、アリーレン、又はそれらの組み合わせを含む二価の基であり、
前記式Ｉのモノマーが、ハロ、アルキル、アルコキシ、又はそれらの組み合わせによって非置換又は置換である。］及び
（ｂ）少なくとも２つの（メタ）クリロイル基を含む架橋モノマーを含む反応混合物。
実施形態２
前記アミン捕捉モノマーが、下記式Ｉ（ａ）から成る、実施形態１に記載の反応混合物。
【化８】
2009516008.tif 000008
実施形態３
前記アミン捕捉モノマーが、下記式Ｉ（ｂ）から成る、実施形態１に記載の反応混合物。
【化９】
2009516008.tif 000009
実施形態４
前記アミン捕捉モノマーが、下記式Ｉ（ｃ）から成る、実施形態１に記載の反応混合物。
【化１０】
2009516008.tif 000010
実施形態５
前記アミン捕捉モノマーが、下記式Ｉ（ｄ）
【化１１】
2009516008.tif 000011
下記式Ｉ（ｅ）
【化１２】
2009516008.tif 000012
又は下記式Ｉ（ｆ）
【化１３】
2009516008.tif 000013
［式中、
Ｄは、オキシ、チオ、又は−ＮＨ−であり、
ｍは、１〜１５の整数であり、
ｐは、１〜３０の整数であり、又
ｋは、２〜４の整数である。］から成る、実施形態１に記載の反応混合物。
実施形態６
前記アミン捕捉モノマーが、
【化１４】
2009516008.tif 000014
【化１５】
2009516008.tif 000015
又は
【化１６】
2009516008.tif 000016
から選択される、実施形態１に記載の反応混合物。［これは、ハロ、アルキル、アルコキシ、又はそれらの組み合わせによって、非置換又は置換されている。］
実施形態７
光反応開始剤、熱反応開始剤、又はそれらの組み合わせを更に含む、実施形態１に記載の反応混合物。
実施形態８
Ｙが、カルボニル、カルボニルオキシ、カルボニルイミノ、オキシ、チオ、−ＮＲ３−、又はそれらの組み合わせから選択された基を更に含む、実施形態１に記載の反応混合物。
実施形態９
前記反応混合物が、前記反応混合物内のモノマー類の重量を基準にして、０．１〜９０重量％の前記式Ｉの前記アミン捕捉モノマーを含む、実施形態１に記載の反応混合物。
実施形態１０
（ａ）下記式Ｉのアミン捕捉モノマー：
【化１７】
2009516008.tif 000017
［式中、
Ｌは、オキシ、−ＮＲ３−であり、
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し、
Ｒ２が、水素又はメチルであり、
Ｒ３が、水素、アルキル、アリール、アラルキル、アシル、アリールスルホニル、又はアルキルスルホニルであり、
Ｙが、アルキレン、ヘテロアルキレン、アリーレン、又はそれらの組み合わせを含む二価の基であり、
前記式Ｉのモノマーが、ハロ、アルキル、アルコキシ、又はそれらの組み合わせによって非置換又は置換である。］及び、
（ｂ）少なくとも２つの（メタ）クリロイル基を含む架橋モノマーを含む反応混合物の反応生成物を含む、架橋型高分子物質。
実施形態１１
前記アミン捕捉モノマーが、下記式Ｉ（ｆ）から成る、実施形態１０に記載の高分子物質。
【化１８】
2009516008.tif 000018
［式中、
Ｄは、オキシ、チオ、又は−ＮＨ−であり、
ｍは、１〜１５の整数であり、
ｐは、１〜３０の整数であり、
ｋは、２〜４の整数である。］
実施形態１２
基材、及び
基材表面上に配置した架橋型高分子物質を備える物品で、当該架橋型高分子物質が、Ｎ−スルホニルアミノカルボニル基を含むペンダントアミン捕捉基を有し、当該架橋型高分子物質が、
（ａ）下記式Ｉのアミン捕捉モノマー：
【化１９】
2009516008.tif 000019
［式中、
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し；
Ｒ２が、水素又はメチルであり、
Ｒ３が、水素、アルキル、アリール、アラルキル、アシル、アリールスルホニル、又はアルキルスルホニルであり、
Ｌは、オキシ、−ＮＲ３−であり、
Ｙが、アルキレン、ヘテロアルキレン、アリーレン、又はそれらの組み合わせを含む二価の基であり、
前記式Ｉのモノマーが、ハロ、アルキル、アルコキシ、又はそれらの組み合わせによって非置換又は置換である。］及び
（ｂ）少なくとも２つの（メタ）クリロイル基を含む架橋モノマーを含む反応混合物の反応生成物である、前記物品。
実施形態１３
基材を提供すること；
（ａ）下記式Ｉのアミン捕捉モノマー：
【化２０】
2009516008.tif 000020
［式中、
Ｌは、オキシ、−ＮＲ３−であり、
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し、
Ｒ２が、水素又はメチルであり、
Ｒ３が、水素、アルキル、アリール、アラルキル、アシル、アリールスルホニル、又はアルキルスルホニルであり、
Ｙが、アルキレン、ヘテロアルキレン、アリーレン、又はそれらの組み合わせを含む二価の基であり、
前記式Ｉのモノマーが、ハロ、アルキル、アルコキシ、又はそれらの組み合わせによって非置換又は置換である。］及び、
（ｂ）少なくとも２つの（メタ）クリロイル基を含む架橋モノマーを含む、
反応混合物を基材表面上に配設すること、及び
前記反応混合物を硬化させて、Ｎ−スルホニルアミノカルボニル基を含むペンダントアミン捕捉基を有する架橋型高分子物質を形成すること、並びに
アミン含有物質を、前記架橋型高分子物質のＮ−スルホニルアミノカルボニル基と反応させることから成る、アミン含有物質の基材への不動化方法。
実施形態１４
前記アミン含有物質が、アミン含有検体、アミノ酸含有検体、アミノ酸、ペプチド、ＤＮＡ、ＲＮＡ、タンパク質、酵素、細胞器官、細胞、組織、免疫グロブリン、又はこれらの断片である、実施形態１３に記載の方法。
実施形態１５
前記アミン含有物質が抗体であり且つ当該抗体が更に抗原に結合している、実施形態１３に記載の方法。
実施形態１６
前記アミン含有物質が抗原であり且つ当該抗原が更に抗体に結合している、実施形態１３に記載の方法。
実施形態１７
前記アミン含有物質が、免疫グロブリンである、実施形態１３に記載の方法。
実施形態１８
前記アミン含有物質が、更にバクテリアに結合している、実施形態１３に記載の方法。
実施形態１９
基材を提供すること；
（ａ）下記式Ｉのアミン捕捉モノマー：
【化２１】
2009516008.tif 000021
［式中、
Ｌは、オキシ、−ＮＲ３−であり、
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し；
Ｒ２が、水素又はメチルであり、
Ｒ３が、水素、アルキル、アリール、アラルキル、アシル、アリールスルホニル、又はアルキルスルホニルであり、Ｙが、アルキレン、ヘテロアルキレン、アリーレン、又はそれらの組み合わせを含む二価の基であり、
前記式Ｉのモノマーが、ハロ、アルキル、アルコキシ、又はそれらの組み合わせによって非置換又は置換である。］及び
（ｂ）少なくとも２つの（メタ）クリロイル基を含む架橋モノマーを含む、
反応混合物を基材表面上に配設すること、及び
前記反応混合物を硬化させて、Ｎ−スルホニルアミノカルボニル基を含むペンダントアミン捕捉基を有する架橋型高分子物質を形成することから成る、物品の作製方法。
実施形態２０
下記式ＩＩのペンダント基から成る、高分子物質。
【化２２】
2009516008.tif 000022
［式中、
Ｌは、オキシ又は−ＮＲ３−であり、
Ｚ１は、アルキル、アリール、又は−（ＣＯ）Ｒ４であり、式中、Ｒ４はＲ１及びそれらが結合している基と共に、窒素へテロ原子及びイオウへテロ原子を有する４〜８員複素環基又は二環式複素環基を形成し、ここで、当該複素環基又は二環式複素環基が、任意の芳香族基、任意の飽和若しくは不飽和環状基、又は任意の飽和若しくは不飽和二環状基と縮合することができ、
Ｒ１は、アルキル、フルオロアルキル、クロロアルキル、アリール、−Ｎ（Ｒ５）２であり、式中、各Ｒ５が独立してアルキル基であるか、又はそれらが結合している窒素原子と共に４〜８員環状基を形成しているか、又は、Ｒ１が、Ｒ４及びそれらが結合している基と共に、任意の芳香族基、任意の飽和若しくは不飽和環状基、又は任意の飽和若しくは不飽和二環状基と縮合することができる、４〜８員複素環基又は二環式複素環基を形成し、
Ｒ３が、水素、アルキル、アリール、アラルキル、アシル、アリールスルホニル、又はアルキルスルホニルであり、
Ｙが、アルキレン、ヘテロアルキレン、アリーレン、又はそれらの組み合わせを含む二価の基であり、
アスタリスク（＊）は、前記ペンダント基の、前記高分子物質の主鎖への結合部位を意味し、
化学式ＩＩのペンダント基が、ハロ、アルキル、アルコキシ、又はそれらの組み合わせによって非置換又は置換されており、且つ
前記高分子物質が、架橋している。］